(57)【要約】  ワイヤレス通信のための方法は、たとえば、第2の無線アクセス技術(RAT)のための第2の電力設定に基づいて第1のRATのための第1の電力設定を自動的に決定するステップと、第1のRATのための電力設定として第1の電力設定を自動的に適用するステップとを含み得る。
2016509452.tif 000002
【特許請求の範囲】
【請求項１】
ワイヤレス通信のための方法であって、
第2の無線アクセス技術(RAT)のための第2の電力設定に基づいて第1のRATのための第1の電力設定を自動的に決定するステップと、
前記第1のRATのための電力設定として前記第1の電力設定を自動的に適用するステップと
を含む方法。
【請求項２】
前記第1の電力設定を自動的に決定するステップが、固定オフセット値、前記第2の電力設定の値、前記第1のRATの受信機感度、前記第2のRATの受信機感度、前記第1のRATにおける干渉、または前記第2のRATにおける干渉のうちの少なくとも1つに基づいて電力設定関数を決定するステップを含む、請求項1に記載の方法。
【請求項３】
ネットワークリッスンモジュールにおける測定値、またはモバイルエンティティから受信された測定値のうちの少なくとも1つに基づいて前記第1のRATにおける前記干渉を決定するステップをさらに含む、請求項2に記載の方法。
【請求項４】
前記固定オフセット値が、前記第1のRATまたは前記第2のRATのうちの少なくとも1つに関連する周波数帯域の伝播プロファイルの関数である、請求項2に記載の方法。
【請求項５】
前記第1の電力設定を自動的に決定するステップが、オペレーション、アドミニストレーション、およびメンテナンス(OAM)ノードを含むネットワークノードから前記第1の電力設定を受信するステップを含む、請求項1に記載の方法。
【請求項６】
前記第2のRATのための電力の変化に応答して、前記第1のRATのための電力を調整するステップをさらに含む、請求項1に記載の方法。
【請求項７】
前記第2のRATのための電力設定として前記第1の電力設定を自動的に適用するステップをさらに含む、請求項1に記載の方法。
【請求項８】
ワイヤレス通信のための装置であって、
第2の無線アクセス技術(RAT)のための第2の電力設定に基づいて第1のRATのための第1の電力設定を自動的に決定し、前記第1のRATのための電力設定として前記第1の電力設定を自動的に適用するように構成される少なくとも1つのプロセッサと、
データを記憶するために前記少なくとも1つのプロセッサに結合されたメモリと
を備える装置。
【請求項９】
前記少なくとも1つのプロセッサが、固定オフセット値、前記第2の電力設定の値、前記第1のRATの受信機感度、前記第2のRATの受信機感度、前記第1のRATにおける干渉、または前記第2のRATにおける干渉のうちの少なくとも1つに基づいて電力設定関数を決定することによって、前記第1の電力設定を自動的に決定するように構成される、請求項8に記載の装置。
【請求項１０】
前記少なくとも1つのプロセッサが、ネットワークリッスンモジュールにおける測定値、またはモバイルエンティティから受信された測定値のうちの少なくとも1つに基づいて前記第1のRATにおける前記干渉を決定するようにさらに構成される、請求項9に記載の装置。
【請求項１１】
前記固定オフセット値が、前記第1のRATまたは前記第2のRATのうちの少なくとも1つに関連する周波数帯域の伝播プロファイルの関数である、請求項9に記載の装置。
【請求項１２】
前記少なくとも1つのプロセッサが、オペレーション、アドミニストレーション、およびメンテナンス(OAM)ノードを含むネットワークノードから前記第1の電力設定を受信することによって、前記第1の電力設定を自動的に決定するように構成される、請求項8に記載の装置。
【請求項１３】
前記少なくとも1つのプロセッサが、前記第2のRATのための電力の変化に応答して、前記第1のRATのための電力を調整するようにさらに構成される、請求項8に記載の装置。
【請求項１４】
前記少なくとも1つのプロセッサが、前記第2のRATのための電力設定として前記第1の電力設定を自動的に適用するようにさらに構成される、請求項8に記載の装置。
【請求項１５】
ワイヤレス通信のための装置であって、
第2の無線アクセス技術(RAT)のための第2の電力設定に基づいて第1のRATのための第1の電力設定を自動的に決定するための手段と、
前記第1のRATのための電力設定として前記第1の電力設定を自動的に適用するための手段と
を備える装置。
【請求項１６】
前記第1の電力設定を自動的に決定するための前記手段が、固定オフセット値、前記第2の電力設定の値、前記第1のRATの受信機感度、前記第2のRATの受信機感度、前記第1のRATにおける干渉、または前記第2のRATにおける干渉のうちの少なくとも1つに基づいて電力設定関数を決定するための手段を含む、請求項15に記載の装置。
【請求項１７】
前記第1のRATにおける前記干渉を決定するための前記手段が、ネットワークリッスンモジュールにおける測定値、またはモバイルエンティティから受信された測定値のうちの少なくとも1つに基づいて前記干渉を決定するための手段を含む、請求項16に記載の装置。
【請求項１８】
前記固定オフセット値が、前記第1のRATまたは前記第2のRATのうちの少なくとも1つに関連する周波数帯域の伝播プロファイルの関数である、請求項16に記載の装置。
【請求項１９】
前記第1の電力設定を自動的に決定するための前記手段が、オペレーション、アドミニストレーション、およびメンテナンス(OAM)ノードを含むネットワークノードから前記第1の電力設定を受信するための手段を含む、請求項15に記載の装置。
【請求項２０】
前記第2のRATのための電力の変化に応答して、前記第1のRATのための電力を調整するための手段をさらに含む、請求項15に記載の装置。
【請求項２１】
前記第2のRATのための電力設定として前記第1の電力設定を自動的に適用するための手段をさらに含む、請求項15に記載の装置。
【請求項２２】
少なくとも1つのコンピュータによって実行されると、前記少なくとも1つのコンピュータに、ワイヤレス通信のための動作を実行させるコードを備える非一時的コンピュータ可読記録媒体であって、
第2の無線アクセス技術(RAT)のための第2の電力設定に基づいて第1のRATのための第1の電力設定を自動的に決定するためのコードと、
前記第1のRATのための電力設定として前記第1の電力設定を自動的に適用するためのコードと
を含む非一時的コンピュータ可読記録媒体。
【請求項２３】
前記第1の電力設定を自動的に決定するための前記コードが、固定オフセット値、前記第2の電力設定の値、前記第1のRATの受信機感度、前記第2のRATの受信機感度、前記第1のRATにおける干渉、または前記第2のRATにおける干渉のうちの少なくとも1つに基づいて電力設定関数を決定するためのコードを含む、請求項22に記載の非一時的コンピュータ可読記録媒体。
【請求項２４】
前記第1のRATにおける前記干渉を決定するための前記コードが、ネットワークリッスンモジュールにおける測定値、またはモバイルエンティティから受信された測定値のうちの少なくとも1つに基づいて前記干渉を決定するためのコードを含む、請求項23に記載の非一時的コンピュータ可読記録媒体。
【請求項２５】
前記固定オフセット値が、前記第1のRATまたは前記第2のRATのうちの少なくとも1つに関連する周波数帯域の伝播プロファイルの関数である、請求項23に記載の非一時的コンピュータ可読記録媒体。
【請求項２６】
前記第1の電力設定を自動的に決定するための前記コードが、オペレーション、アドミニストレーション、およびメンテナンス(OAM)ノードを含むネットワークノードから前記第1の電力設定を受信するためのコードを含む、請求項22に記載の非一時的コンピュータ可読記録媒体。
【請求項２７】
前記少なくとも1つのコンピュータに、前記第2のRATのための電力の変化に応答して、前記第1のRATのための電力を調整させるためのコードをさらに含む、請求項22に記載の非一時的コンピュータ可読記録媒体。
【請求項２８】
前記第2のRATのための電力設定として前記第1の電力設定を自動的に適用するためのコードをさらに含む、請求項22に記載の非一時的コンピュータ可読記録媒体。
【発明の詳細な説明】
【技術分野】
【０００１】
関連出願の相互参照
本特許出願は、本出願の譲受人に譲渡され、その全体が参照により本明細書に明確に組み込まれる、2013年3月6日に出願された「TRANSMIT POWER CALIBRATION FOR MATCHING THE COVERAGE OF DIFFERENT RADIO TECHNOLOGIES ON A COMMON RADIO NODE」と題する米国仮出願第61/773,768号の優先権を主張する。
【０００２】
本開示の態様は一般に電気通信に関し、より詳細には、マルチ無線アクセス技術(multi-radio access technology)(RAT)配置環境などに関する。
【背景技術】
【０００３】
ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークがある。
【０００４】
ワイヤレス通信ネットワークは、たとえばユーザ機器(UE)など、いくつかのモバイルエンティティの通信をサポートすることができるいくつかの基地局を含むことができる。UEは、ダウンリンク(DL)およびアップリンク(UL)を介して基地局と通信し得る。DL(または順方向リンク)は基地局からUEへの通信リンクを指し、かつUL(または逆方向リンク)はUEから基地局への通信リンクを指す。
【０００５】
第3世代パートナーシッププロジェクト(3GPP)Long Term Evolution(LTE)は、Global System for Mobile communications(GSM(登録商標))およびUniversal Mobile Telecommunications System(UMTS)の進化として、セルラー技術における重要な進歩を代表する。LTE物理層(PHY)は、発展型ノードB(eNB)などの基地局とUEなどのモバイルエンティティとの間にデータと制御情報の両方を伝達する高効率な方法を提供する。
【０００６】
近年、ユーザは、固定回線ブロードバンドをモバイルブロードバンドに置き換え始めており、特に家またはオフィスにおいて、高い音声品質、高信頼のサービス、および低価格への要求がますます高まっている。屋内のサービスを提供するために、ネットワーク事業者は、様々なソリューションを展開することができる。適度なトラフィックを有するネットワークでは、事業者は、建築物内に信号を送信するために、マクロセルラー基地局に依存し得る。しかしながら、建築物の透過損失が高いエリアでは、許容可能な信号品質を維持することは困難であり得、したがって、他のソリューションが望まれる。新しいソリューションは、たとえば空間およびスペクトルなどの限られた無線リソースを最大限に利用することがしばしば望まれる。これらのソリューションのうちのいくつかは、インテリジェントリピータ、遠隔無線ヘッド、および小カバレージ基地局(たとえば、ピコセルおよびフェムトセル)を含む。
【発明の概要】
【発明が解決しようとする課題】
【０００７】
小カバレージ基地局(または単に、スモールセル)は、一般に、ライセンススペクトルにおいて動作し、ネットワーク事業者によって制御することができる低出力ワイヤレスアクセスポイントであり、既存のハンドセットと接続され得、住宅用デジタル加入者回線(DSL)またはバックホール用のケーブル接続を使用することができる。様々な標準またはコンテキストにおいて、スモールセル基地局は、ホームノードB(HNB)、ホームeノードB(HeNB)、アクセスポイント基地局などと呼ばれ得る。スモールセルの普及の増加により、スモールセル基地局の配置に関係する電力設定に対処したいという要望がある。
【課題を解決するための手段】
【０００８】
マルチ無線アクセス技術(RAT)環境において小カバレージ基地局を配置するためのシステムおよび方法が開示される。
【０００９】
ワイヤレス通信のための方法が開示される。この方法は、たとえば、第2の無線アクセス技術(RAT)のための第2の電力設定に基づいて第1のRATのための第1の電力設定を自動的に決定するステップと、第1のRATのための電力設定として第1の電力設定を自動的に適用するステップとを含み得る。
【００１０】
ワイヤレス通信のための装置も開示される。この装置はたとえば、少なくとも1つのプロセッサと、データを記憶するための少なくとも1つのプロセッサに結合されたメモリとを備えてよい。少なくとも1つのプロセッサは、たとえば、第2のRATのための第2の電力設定に基づいて第1のRATのための第1の電力設定を自動的に決定し、第1のRATのための電力設定として第1の電力設定を自動的に適用するように構成され得る。
【００１１】
ワイヤレス通信のための別の装置も開示される。この装置は、たとえば、第2のRATのための第2の電力設定に基づいて第1のRATのための第1の電力設定を自動的に決定するための手段と、第1のRATのための電力設定として第1の電力設定を自動的に適用するための手段とを含み得る。
【００１２】
少なくとも1つのコンピュータによって実行されると、少なくとも1つのコンピュータに、ワイヤレス通信のための動作を実行させるコードを備えるコンピュータ可読記録媒体も開示される。コンピュータ可読記録媒体は、たとえば、第2のRATのための第2の電力設定に基づいて第1のRATのための第1の電力設定を自動的に決定するためのコードと、第1のRATのための電力設定として第1の電力設定を自動的に適用するためのコードとを含み得る。
【００１３】
添付の図面は、本開示の様々な態様の説明を助けるために提示され、態様の限定ではなく、態様の例示のためのみに提供される。
【図面の簡単な説明】
【００１４】
【図１】電気通信システムの一例を概念的に示すブロック図である。
【図２】電気通信システムのダウンリンクフレーム構造の一例を概念的に示すブロック図である。
【図３】基地局/eNBおよびUEの設計を概念的に示すブロック図である。
【図４】別の例示的な通信システムを示すブロック図である。
【図５】マルチ無線アクセス技術(RAT)カバレージを有する例示的なスモールセルを示すブロック図である。
【図６】たとえばスモールセルなど無線ノードによる送信電力較正のための方法の態様を示す図である。
【図７】図6の方法による、送信電力較正のための装置の一実施形態を示す図である。
【発明を実施するための形態】
【００１５】
本開示の態様は、以下の説明および特定の開示された態様を対象とする関連する図面において、提供される。本開示の範囲から逸脱することなく、代替の態様が考案され得る。加えて、さらに関連性のある詳細を不明瞭にしないように、本開示のよく知られている態様は詳細に説明されない場合があるか、または省略される場合がある。
【００１６】
本明細書で用いられる用語は、具体的な態様について説明することのみを目的とするものであり、本開示を限定することは意図されない。本明細書で使用される単数形「a」、「an」、および「the」は、文脈が別段に明確に示すのでなければ、複数形をも含むものとする。さらに、「含む(comprises)」、「含んでいる(comprising)」、「含む(includes)」、および/または「含んでいる(including)」という用語は、本明細書で使用すると、述べられた特徴、整数、ステップ、動作、要素、および/または構成要素の存在を明示するが、1つまたは複数の他の特徴、整数、ステップ、動作、要素、構成要素、および/またはそれらのグループの存在または追加を排除しないことが理解されよう。
【００１７】
さらに、多くの態様について、たとえばコンピューティングデバイスの要素によって実行されるべき、一連の動作に関して説明する。本明細書で説明する様々な動作は、特定の回路(たとえば、特定用途向け集積回路(ASIC))によって、1つもしくは複数のプロセッサによって実行されるプログラム命令によって、または両方の組合せによって実施され得ることを認識されよう。加えて、本明細書で説明するこれらの一連の動作は、実行時に、関連するプロセッサに本明細書で説明する機能を実施させるコンピュータ命令の対応するセットを記憶した、任意の形式のコンピュータ可読記憶媒体内で完全に具現化されるものと見なされ得る。したがって、本開示の様々な態様はいくつかの異なる形式で具現することができ、そのすべてが、特許請求される主題の範囲内にそのすべてが入ると考えられる。さらに、本明細書において説明される態様ごとに、任意のそのような態様の対応する形式は、本明細書において、たとえば、説明される動作を実行する「ように構成されるロジック」として説明される場合がある。
【００１８】
次に図1を参照すると、本明細書で提示する様々な実施形態による、LTEネットワークとすることができるワイヤレス通信システム100が示されている。ワイヤレスネットワーク100は、いくつかのeNB110と他のネットワークエンティティとを含み得る。eNBは、UEと通信する局であってよく、基地局、ノードB、アクセスポイントなどとも呼ばれ得る。各eNB110a、110b、110cは、特定の地理的エリアに対して通信カバレージを提供することができる。3GPPでは、「セル」という用語は、この用語が使用される文脈に応じて、eNBのカバレージエリアおよび/またはこのカバレージエリアにサービスしているeNBサブシステムを指すことがある。
【００１９】
eNBは、マクロセルならびに様々なスモールセル、たとえば、ピコセル、フェムトセル、および/または他のタイプのセルに通信カバレージを提供し得る。マクロセルは、比較的大きい地理的エリア(たとえば、半径数キロメートル)をカバーすることができ、サービスに加入しているUEによる無制限のアクセスを可能にできる。ピコセルは、比較的小さい地理的エリアをカバーすることができ、サービスに加入しているUEによる無制限のアクセスを可能にできる。フェムトセルは、比較的小さい地理的エリア(たとえば、家)をカバーすることができ、フェムトセルとの関連を有するUE(たとえば、限定加入者グループ(CSG)中のUE、家の中のユーザのUEなど)による限定アクセスを可能にし得る。マクロセルのためのeNBは、マクロeNBと呼ばれ得る。ピコセルのためのeNBは、ピコeNBと呼ばれ得る。フェムトセルのためのeNBは、フェムトeNBまたはホームeNB(HNB)と呼ばれ得る。図1に示される例では、eNB110a、110bおよび110cは、それぞれマクロセル102a、102bおよび102cのマクロeNBであり得る。eNB110xは、スモールセルの第1の例として、ピコセル102xのピコeNBであり得る。また、eNB110yおよび110zは、それぞれ、スモールセルの第2の例として、フェムトセル102yおよび102zのためのフェムトeNBであり得る。eNBは、1つまたは複数(たとえば、3つ)のセルをサポートし得る。
【００２０】
ワイヤレスネットワーク100はまた、中継局110rを含み得る。中継局は、上流の局(たとえば、eNBまたはUE)からデータおよび/または他の情報の伝送を受信し、下流の局(たとえば、UEまたはeNB)へデータおよび/または他の情報の伝送を送信する局である。中継局はまた、他のUEのための伝送を中継するUEであり得る。図1に示される例では、中継局110rは、eNB110aとUE120rとの間の通信を支援するために、eNB110aおよびUE120rと通信し得る。中継局はまた、リレーeNB、リレーなどとも呼ばれ得る。
【００２１】
ワイヤレスネットワーク100は、様々なタイプのeNB、たとえば、マクロeNBならびにスモールセルeNB、たとえば、ピコeNB、フェムトeNB、リレーなどを含む異種ネットワークであり得る。これらの様々なタイプのeNBは、様々な送信電力レベル、様々なカバレージエリア、およびワイヤレスネットワーク100中での干渉に対する様々な影響を有し得る。たとえば、マクロeNBは高い送信電力レベル(たとえば、20ワット)を有することがあり、一方でスモールセルeNB、たとえば、ピコeNB、フェムトeNBおよびリレーはより低い送信電力レベル(たとえば、1ワット)を有することがある。
【００２２】
ワイヤレスネットワーク100は、同期動作または非同期動作をサポートし得る。同期動作の場合、eNBは同様のフレームタイミングを有してよく、異なるeNBからの送信は概ね時間的に揃えられ得る。非同期動作の場合、eNBは異なるフレームタイミングを有してよく、異なるeNBからの送信は時間的に揃えられないことがある。本明細書で説明される技法は、同期動作と非同期動作の両方に対して使用され得る。
【００２３】
ネットワークコントローラ130は、eNBのセットに結合し、これらのeNBの調整および制御を行い得る。ネットワークコントローラ130は、バックホールを介してeNB110と通信し得る。eNB110はまた、たとえば、直接または間接的にワイヤレスバックホールまたは有線バックホールを介して互いに通信し得る。
【００２４】
UE120は、ワイヤレスネットワーク100全体に分散され得、各UEは固定式または移動式であり得る。UEは、端末、移動局、加入者ユニット、局などとも呼ばれ得る。UEは、携帯電話、携帯情報端末(PDA)、ワイヤレスモデム、ワイヤレス通信デバイス、携帯型デバイス、ラップトップコンピュータ、コードレス電話、ワイヤレスローカルループ(WLL)局、または他のモバイルエンティティであってよい。UEは、マクロeNBならびにスモールセルeNB、たとえば、ピコeNB、フェムトeNB、リレー、または他のネットワークエンティティと通信することが可能であり得る。図1では、両側に矢印がある実線が、UEとサービングeNBとの間の所望の伝送を示し、サービングeNBは、ダウンリンクおよび/またはアップリンクでUEをサービスするように指定されるeNBである。両矢印の破線は、UEとeNBとの間の干渉する伝送を示している。たとえば、UE120yは、フェムトeNB110y、110zの近傍にあり得る。UE120yからのアップリンク送信は、フェムトeNB110y、110zに干渉する可能性があり、UE120yからのアップリンク送信は、フェムトeNB110y、110zを妨害し、フェムトeNB110y、110zへの他のアップリンク信号の受信の質を低下させる可能性がある。フェムトeNB110yは、UEに対する制限された関連付けがないオープンアクセスのフェムトeNBとすることができる。一例では、フェムトeNB110zは、カバレージをエリアに提供するために最初に配置されるより高い送信電力eNBとすることができる。フェムトeNB110zは、大きいサービスエリアをカバーするために配置され得る。フェムトeNB110yは、eNB110cもしくはeNB110zのいずれか、またはその両方からトラフィックをロードするためのホットスポットエリアにカバレージを提供するために、フェムトeNB110zよりも後に配置されるより低い送信電力eNBでもよい。UE120yからのアップリンク送信は、UE120fからの送信に干渉し、UE120fによって経験されるサービス品質QoSを低減する可能性がある。フェムトeNB110yは、下記の方法に従って干渉を緩和するように、その送信電力を適応させようとし得る。
【００２５】
LTEは、ダウンリンクで直交周波数分割多重化(OFDM)を利用し、かつアップリンクでシングルキャリア周波数分割多重化(SC-FDM)を利用する。OFDMおよびSC-FDMは、システム帯域幅を複数の(K個の)直交サブキャリアに分割し、この複数の直交サブキャリアは、一般に、トーン、ビンなどとも呼ばれる。各サブキャリアはデータを変調され得る。一般に、変調シンボルは、OFDMでは周波数領域で、SC-FDMでは時間領域で送信される。隣接するサブキャリア間の間隔は固定され得、サブキャリアの総数(K)は、システム帯域幅に依存し得る。たとえば、Kは、1.25、2.5、5、10、または20メガヘルツ(MHz)のシステム帯域幅に対して、それぞれ、128、256、512、1024、または2048に等しくなり得る。システム帯域幅はまた、サブバンドに分割され得る。たとえば、サブバンドは1.08MHzをカバーすることができ、1.25、2.5、5、10または20MHzのシステム帯域幅に対して、それぞれ、1、2、4、8または16個のサブバンドが存在し得る。
【００２６】
図2は、LTEにおいて使用されるダウンリンクフレーム構造200を示す。ダウンリンクの伝送タイムラインは、無線フレームの単位202、204、206に分割され得る。各無線フレームは、所定の持続時間(たとえば、10ミリ秒(ms))を有することができ、0〜9のインデックスを有する10個のサブフレーム208に分割され得る。各サブフレームは、2つのスロット、たとえばスロット210を含み得る。したがって、各無線フレームは、0〜19のインデックスを有する20個のスロットを含み得る。各スロットは、L個のシンボル期間を含んでもよく、たとえば、図2に示されるように、通常のサイクリックプレフィックス(CP)に対して7個のシンボル期間212を含んでもよく、または、拡張されたサイクリックプレフィックスに対して6個のシンボル期間を含んでもよい。通常のCPおよび拡張CPは、本明細書では、異なるCPタイプと呼ばれ得る。各サブフレームにおける2L個のシンボル期間は、0〜2L-1のインデックスを割り振られ得る。利用可能な時間周波数リソースはリソースブロックに分割され得る。各リソースブロックは、1つのスロット中のN個のサブキャリア(たとえば、12個のサブキャリア)をカバーし得る。
【００２７】
LTEでは、eNBは、eNBの各セルに対して、1次同期信号(PSS)と2次同期信号(SSS)とを送信してもよい。1次同期信号および2次同期信号は、図2に示すように、通常のサイクリックプレフィックスをもつ各無線フレームのサブフレーム0および5の各々の中の、それぞれ、シンボル期間6および5中で送信されてもよい。同期信号が、セルの検出および取得のためにUEにより使用され得る。eNBは、サブフレーム0のスロット1中のシンボル期間0〜3中で物理ブロードキャストチャネル(PBCH)を送信してもよい。PBCHは所定のシステム情報を搬送し得る。
【００２８】
図2においては第1のシンボル期間全体が描かれているが、eNBは、各サブフレームの第1のシンボル期間の一部のみにおいて物理制御フォーマットインジケータチャネル(PCFICH)を送信してもよい。PCFICHは、制御チャネルのために使用されるシンボル期間の数(M)を搬送することができ、Mは、1、2または3に等しくてよく、サブフレームにより変更されてもよい。また、Mは、小さいシステム帯域幅、たとえば、10個未満のリソースブロックを有する帯域幅に対しては、4に等しくてもよい。図2に示される例では、M=3である。eNBは、各サブフレームの第1のM個のシンボル期間において(図2ではM=3)、物理HARQインジケータチャネル(PHICH)および物理ダウンリンク制御チャネル(PDCCH)を送信してもよい。PHICHは、ハイブリッド自動再送信(HARQ)をサポートするための情報を搬送し得る。PDCCHは、UEに対するリソースの割振りに関する情報と、ダウンリンクチャネルに対する制御情報とを、搬送することができる。図2における第1のシンボル期間には示されていないが、PDCCHおよびPHICHは第1のシンボル期間にも含まれることを理解されたい。同様に、図2にはそのように示されていないが、PHICHおよびPDCCHは両方とも、第2のシンボル期間および第3のシンボル期間内にもあり得る。eNBは、各サブフレームの残りのシンボル期間中に物理ダウンリンク共有チャネル(PDSCH)を送信してもよい。PDSCHは、ダウンリンクでのデータ送信がスケジューリングされている、UEのためのデータを搬送することができる。LTEにおける様々な信号およびチャネルは、「Evolved Universal Terrestrial Radio Access(E-UTRA)；Physical Channels and Modulation」と題する3GPP TS 36.211で説明され、これは公開されている。
【００２９】
eNBは、eNBによって使用されるシステム帯域幅の中心1.08MHzにおいてPSS、SSS、およびPBCHを送信してもよい。eNBは、これらのチャネルが送信される各シンボル期間の中の、システム帯域幅全体にわたってPCFICHおよびPHICHを送信してもよい。eNBは、システム帯域幅のいくつかの部分においてUEのグループにPDCCHを送信してもよい。eNBは、システム帯域幅の特定の部分において特定のUEにPDSCHを送り得る。eNBは、ブロードキャスト方式で、PSS、SSS、PBCH、PCFICHおよびPHICHをすべてのUEに送信してもよく、ユニキャスト方式で、PDCCHを特定のUEに送信してもよく、ユニキャスト方式で、PDSCHを特定のUEに送信してもよい。
【００３０】
各シンボル期間においていくつかのリソース要素が利用可能であり得る。各リソース要素は、1つのシンボル期間において1つのサブキャリアをカバーし得、実数値または複素数値であり得る1つの変調シンボルを送信するために使用され得る。各シンボル期間において基準信号に使用されないリソース要素は、リソース要素グループ(REG)に構成され得る。各REGは、1つのシンボル期間に4つのリソース要素を含み得る。PCFICHは4個のREGを占有してよく、4個のREGは、シンボル期間0において、周波数にわたってほぼ等しく間隔を置かれ得る。PHICHは3個のREGを占有してよく、3個のREGは、1つまたは複数の構成可能なシンボル期間において、周波数全体に分散され得る。たとえば、PHICHのための3個のREGは、すべてシンボル期間0に属してもよく、または、シンボル期間0、1および2に分散されてもよい。PDCCHは、9、18、32、または64個のREGを占有してよく、これらのREGは、第1のM個のシンボル期間において、利用可能なREGから選択され得る。REGの特定の組合せのみが、PDCCHに対して許可され得る。
【００３１】
UEは、PHICHおよびPCFICHのために使用される特定のREGを知り得る。UEは、PDCCHを求めてREGの異なる組合せを探索し得る。探索すべき組合せの数は、通常、PDCCHに対して許可される組合せの数よりも少ない。eNBは、UEが探索することになる組合せのいずれかでUEにPDCCHを送り得る。
【００３２】
UEは、複数のeNBのカバレージ内にあり得る。そのUEにサービスするために、これらのeNBのうちの1つが選択され得る。サービングeNBは、受信電力、経路損失、信号対雑音比(SNR)などのような、様々な基準に基づいて選択され得る。
【００３３】
図3は、図1の基地局/eNBの1つおよびUEの1つであり得る、基地局/eNB110およびUE120の設計のブロック図を示す。制限された関連付けの状況の場合、基地局110は図1のマクロeNB110cであってよく、UE120はUE120yであってよい。基地局110は、スモールセルを含むアクセスポイントなど何らかの他のタイプの基地局でもよい。基地局110は、アンテナ334a〜334tを備えてもよく、UE120は、アンテナ352a〜352rを備えてもよい。
【００３４】
基地局110において、送信プロセッサ320は、データソース312からデータを受信し、コントローラ/プロセッサ340から制御情報を受信することができる。制御情報は、PBCH、PCFICH、PHICH、PDCCHなどのためのものであり得る。データは、PDSCHなどのためのものであり得る。プロセッサ320は、データと制御情報とを処理(たとえば、符号化およびシンボルマッピング)して、それぞれデータシンボルと制御シンボルとを取得し得る。プロセッサ320はまた、たとえば、PSS、SSS、およびセル固有参照信号のための参照シンボルを生成し得る。送信(TX)多入力多出力(MIMO)プロセッサ330は、可能な場合には、データシンボル、制御シンボル、および/または参照シンボルに対して空間処理(たとえば、プリコーディング)を実行することができ、出力シンボルストリームを変調器(MOD)332a〜332tに提供することができる。各変調器332は、(たとえば、OFDMなどの)それぞれの出力シンボルストリームを処理して出力サンプルストリームを取得することができる。各変調器332はさらに、ダウンリンク信号を取得するために、出力サンプルストリームを処理(たとえば、アナログへの変換、増幅、フィルタリング、およびアップコンバート)をすることができる。変調器332a〜332tからのダウンリンク信号は、それぞれアンテナ334a〜334tを介して送信され得る。
【００３５】
UE120において、アンテナ352a〜352rは、基地局110からダウンリンク信号を受信することができ、それぞれ、受信された信号を復調器(DEMOD)354a〜354rに提供することができる。各復調器354は、それぞれの受信された信号を調整(たとえば、フィルタリング、増幅、ダウンコンバート、およびデジタル化)して入力サンプルを取得することができる。各復調器354はさらに、(たとえば、OFDMなどのための)入力サンプルを処理して受信されたシンボルを取得することができる。MIMO検出器356は、すべての復調器354a〜354rから、受信されたシンボルを取得し、可能な場合には受信されたシンボルに対してMIMO検出を実行し、検出されたシンボルを提供することができる。受信プロセッサ358は、検出されたシンボルを処理(たとえば、復調、デインターリーブ、および復号)し、UE120のための復号されたデータをデータシンク360に提供し、かつ復号された制御情報をコントローラ/プロセッサ380に提供することができる。
【００３６】
アップリンク上では、UE120において、送信プロセッサ364は、データソース362から(たとえば、PUSCHのための)データを受信して処理し、コントローラ/プロセッサ380から(たとえば、PUCCHのための)制御情報を受信して処理し得る。プロセッサ364はまた、参照信号のための参照シンボルを生成することもできる。送信プロセッサ364からのシンボルは、可能な場合にはTX MIMOプロセッサ366によりプリコーディングされ、(たとえばSC-FDMなどのために)変調器354a〜354rによりさらに処理され、基地局110に送信され得る。基地局110において、UE120からのアップリンク信号は、アンテナ334により受信され、復調器332により処理され、可能な場合にはMIMO検出器336により検出され、受信プロセッサ338によりさらに処理されて、UE120により送信された、復号されたデータおよび制御情報を取得することができる。プロセッサ338は、復号されたデータをデータシンク339に提供し、かつ復号された制御情報をコントローラ/プロセッサ340に提供することができる。
【００３７】
コントローラ/プロセッサ340および380は、それぞれ基地局110およびUE120における動作を指示することができる。基地局110におけるプロセッサ340ならびに/または他のプロセッサおよびモジュールは、本明細書で説明される技法の様々な処理の実行を、実施または指示することができる。UE120におけるプロセッサ380ならびに/または他のプロセッサおよびモジュールも、図4および図5に示す機能ブロックの実行、および/または本明細書で説明する技法のための他のプロセスを実施または指示し得る。メモリ342および382は、それぞれ、基地局110およびUE120のためのデータおよびプログラムコードを記憶することができる。スケジューラ344は、ダウンリンク上および/またはアップリンク上でのデータ送信のためにUEをスケジュールし得る。
【００３８】
一構成では、ワイヤレス通信のためのUE120は、UEの接続モードの間、干渉する基地局から干渉を検出するための手段と、干渉する基地局の得られたリソースを選択するための手段と、得られたリソースにおける物理的なダウンリンク制御チャネルのエラー率を取得するための手段と、エラー率が所定のレベルを上回ることに応答して実行可能な、無線リンクの故障を宣言するための手段とを含む。一態様では、上記の手段は、上記の手段によって詳述される機能を実行するように構成されたプロセッサ、コントローラ/プロセッサ380、メモリ382、受信プロセッサ358、MIMO検出器356、復調器354a、およびアンテナ352aであり得る。別の態様では、上述の手段は、上述の手段によって詳述された機能を実行するように構成されたモジュールまたは任意の装置であり得る。
【００３９】
図4は、1つまたは複数のスモールセルAPがネットワーク環境内に配置される、例示的な通信システム400を示す。具体的には、システム400は、比較的小規模のネットワーク環境内(たとえば、1つまたは複数のユーザの住宅430内)に設置された、複数のスモールセルAP410Aおよび410B(たとえば、スモールセルeNBまたはH(e)NB)を含む。各スモールセルAP410は、デジタル加入者回線(DSL)ルータ、ケーブルモデム、ワイヤレスリンク、または他の接続手段(図示せず)を介して、ワイドエリアネットワーク440(たとえば、インターネット)およびモバイル事業者コアネットワーク450に結合することができる。以下で論じるように、各スモールセルAP410は、関連するアクセス端末420(たとえば、アクセス端末420A)、および場合によっては異種のアクセス端末420(たとえば、アクセス端末420B)にサービスするように構成することができる。言い換えれば、スモールセルAP410へのアクセスは、所与のアクセス端末420が1組の指定された(たとえば、ホーム)スモールセルAP410によってサービスされ得るが、任意の指定されていないスモールセルAP410(たとえば、近接するスモールセルAP)によってサービスされ得ないように、制限することができる。
【００４０】
再び図4を参照すると、スモールセルAP410の所有者は、たとえば、モバイル事業者コアネットワーク450を介して提供される3Gモバイルサービスなどの、モバイルサービスに加入することができる。別の例では、ワイヤレスネットワークのカバレージを拡大するために、モバイル事業者コアネットワーク450によってスモールセルAP410を動作させることができる。加えて、アクセス端末420は、マクロ環境中と、より小規模(たとえば、住宅)のネットワーク環境中の両方で動作することが可能であり得る。したがって、たとえば、アクセス端末420の現在の位置に応じて、アクセス端末420は、マクロアクセスポイント460によって、または1組のスモールセルAP410(たとえば、対応するユーザの住宅430内に存在するスモールセルAP410Aおよび410B)のうちのいずれか1つによってサービスされ得る。たとえば、加入者が自分の家の外部にいるときは、加入者は標準的なマクロアクセスポイント(たとえば、ノード460)によってサービスされ、かつ加入者が家にいるときは、加入者はスモールセルAP(たとえば、ノード410A)によってサービスされる。ここでは、スモールセルAP410は、既存のアクセス端末420との後方互換性があり得ることを了解されたい。
【００４１】
スモールセルAP410は、単一の周波数上か、または代替として複数の周波数上に展開され得る。特定の構成に応じて、単一の周波数、または複数の周波数のうちの1つもしくは複数は、マクロアクセスポイント(たとえば、ノード460)によって使用される1つまたは複数の周波数と重なる可能性がある。いくつかの態様では、アクセス端末420は、そのような接続が可能であるときはいつでも、好ましいスモールセルAP(たとえば、アクセス端末420のホームスモールセルAP)に接続するように構成することができる。たとえば、アクセス端末420がユーザの住宅430内にあるときはいつでも、アクセス端末420はホームスモールセルAP410と通信することができる。
【００４２】
いくつかの態様では、アクセス端末420がモバイル事業者コアネットワーク450内で動作するが、(たとえば、好ましいローミングリスト内に規定されたような)その最も好ましいネットワーク上に存在していない場合、より良いシステムが現在利用可能かどうかを判定するための利用可能なシステムの周期的走査、およびそのような好ましいシステムに関連付けるためのその後の努力を含み得るBetter System Reselection(BSR)を使用して、アクセス端末420は最も好ましいネットワーク(たとえば、スモールセルAP410)を探索し続けることができる。一例では、(たとえば、好ましいローミングリスト内の)取得テーブル項目を使用して、アクセス端末420は特定の帯域およびチャネルに対する探索を制限することができる。たとえば、最も好ましいシステムに対する探索は、周期的に繰り返すことができる。スモールセルAP410などの好ましいスモールセルAPが発見されると、アクセス端末420は、そのカバレージエリア内のキャンピング用にスモールセルAP410を選択する。
【００４３】
いくつかの態様では、スモールセルAPは制限される可能性がある。たとえば、所与のスモールセルAPは、いくつかのアクセス端末にいくつかのサービスを提供することしかできない。いわゆる制限された(または限定(closed)された)関連付けを有する配置では、所与のアクセス端末は、マクロセルモバイルネットワークおよび規定された組のスモールセルAP(たとえば、対応するユーザの住宅430内に存在するスモールセルAP410)のみによってサービスされ得る。いくつかの実装形態では、スモールセルAPは、少なくとも1つのアクセス端末に、シグナリング、データアクセス、登録、ページング、またはサービスのうちの少なくとも1つを提供しないように制限され得る。
【００４４】
いくつかの態様では、(限定加入者グループH(e)NBと呼ばれることもある)制限スモールセルAPは、制限付きの供給された組のアクセス端末にサービスを提供するスモールセルAPである。この組は、必要に応じて一時的または永続的に拡張することができる。いくつかの態様では、限定加入者グループ(CSG)は、アクセス端末の共通アクセス制御リストを共有するアクセスノード(たとえば、スモールセルAP)の組として規定することができる。ある領域内のすべてのスモールセルAP(またはすべての制限スモールセルAP)が動作するチャネルは、スモールセルチャネルと呼ぶことができる。
【００４５】
所与のスモールセルAPと所与のアクセス端末との間には、このように様々な関係が存在する可能性がある。たとえば、アクセス端末の観点から、オープンスモールセルAPは制限された関連付けがないスモールセルAPを指すことができる。制限スモールセルAPは、何らかの方式で制限された(たとえば、関連付けおよび/または登録に関して制限された)スモールセルAPを指す可能性がある。ホームスモールセルAPは、その上でアクセス端末がアクセスおよび動作することを認可されたスモールセルAPを指すことができる。ゲストスモールセルAPは、その上でアクセス端末がアクセスまたは動作することを一時的に認可されたスモールセルAPを指すことができる。異種のスモールセルAPは、おそらく緊急事態(たとえば911呼)を除いて、その上でアクセス端末がアクセスし、または動作し続けることを認可されないスモールセルAPを指す可能性がある。
【００４６】
制限スモールセルAPの観点から、ホームアクセス端末は、制限スモールセルAPにアクセスすることを認可されたアクセス端末を指すことができる。ゲストアクセス端末は、制限スモールセルAPへの一時的なアクセスを有するアクセス端末を指すことができる。異種のアクセス端末は、おそらく緊急事態、たとえば911呼などを除いて、制限スモールセルAPにアクセスする許可を有しないアクセス端末(たとえば、制限スモールセルAPに登録する資格証明または許可を有しないアクセス端末)を指す可能性がある。
【００４７】
便宜上、本明細書の開示は、スモールセルAPの文脈で様々な機能について説明する。しかしながら、ピコノードは、より大きいカバレージエリアに対して、スモールセルAPと同じまたは同様の機能を提供することができることを了解されたい。たとえば、ピコノードは限定的であり得、ホームピコノードは所与のアクセス端末に対して規定され得る、などである。
【００４８】
本開示の1つまたは複数の実施形態によれば、共通の無線ノード上の異なる技術(たとえば、無線アクセス技術(RAT))のカバレージをマッチングさせるための送信電力較正の技法が提供される。
【００４９】
複数のRATをサポートするスモールセルでは、RATによって提供されるカバレージをマッチングさせることが望ましい場合がある。たとえば、LTEからCDMA2000への回線交換フォールバックを可能にするために、LTEおよびCDMA2000のためのカバレージはマッチングされ得る。カバレージをマッチングすることは、フィールドテストおよびドライブテストによって実行され得るが、これは高価である。あるRATの電力が干渉または他の理由のために変化する場合、他のRATのカバレージをリセットする必要が生じ、カバレージマッチングが困難である場合もある。したがって、本開示は、カバレージマッチングを達成するための自動の方法を提供する。
【００５０】
図5は、マルチRATカバレージを有するスモールセルを含む例示的なシステム500を示すブロック図である。スモールセル501は、LTEおよびCDMA2000 RATを含み得る。たとえば、スモールセルは、LTEスモールセルカバレージ502およびCDMA2000 1xカバレージ504を提供することができる。2つのカバレージエリアは、類似していてもよく、または類似していなくてもよい。マッチングされたカバレージエリアは、回線交換フォールバックをサポートするなどの利点を提供することができる。たとえば、モバイル端末506は、LTEカバレージ502のLTEからCDMA 1xカバレージ504のCDMA2000 1xへの回線交換フォールバックを望み得る。LTEおよびCDMA2000のマッチングされたカバレージは、回線交換フォールバックを可能にし得る。
【００５１】
一実施形態では、2つの異なる周波数帯域において2つのRAT AおよびBのカバレージマッチングを実行するとき、第1の帯域上のRAT Aの電力は、第2の帯域のRAT Bの電力のオフセットとして設定され得る。たとえば、P_A=P_B+offsetであり、式中、P_Aは、RAT Aの電力であり、P_Bは、RAT Bの電力であり、offsetはオフセット電力である。したがって、P_Aは、P_Bおよびオフセットの関数であり得る。P_Aは、RAT Bの電力が変化するにつれて、すなわち、P_Bが変化するにつれて、変化し得る。オフセット電力は、フィールドテストおよび/または研究室テストを介して決定され得、RAT AおよびBの動作の帯域に依存し、周波数帯域のそれぞれの伝播プロファイルに依存し得る。より進んだ方法は、様々な量の関数であるオフセットを伴い得る。
【００５２】
別の実施形態では、たとえば、屋内カバレージでは、電力は小さくてもよく、伝播バリアは小さくてもよい。オフセット電力は、この場合、より小さくてもよい。屋外カバレージでは、伝播バリアは、より重要であり得、より大きいオフセット電力が必要になり得る。たとえば、P_A=P_B+f(P_B)であり、式中、P_Aは、RAT Aの電力であり、P_Bは、RAT Bの電力であり、f(P_B)は、RAT Bの電力の関数である電力値である。f(P_B)は、任意の適切な関数であり得る。
【００５３】
別の実施形態では、カバレージマッチングは、カバレージエリアの端部の受信機感度に依存し得る。RAT AおよびBに対応する周波数帯域が異なる場合、受信機感度は異なり得る。2つの受信機感度の間の差がDelta dBである場合、同じカバレージは、送信電力P_AがP_Bよりも高いDelta dBであることで満たされ得る(たとえば、Delta=Rx_Sensor_A-Rx_Sensor_Bであり、式中、Rx_Sensor_AはRAT Aの受信機感度であり、Rx_Sensor_BはRAT Bの受信機感度である)。たとえば、P_A=P_B+offset+Deltaであり、式中、P_AはRAT Aの電力であり、P_BはRAT Bの電力であり、“offset”はオフセット電力であり、Deltaは、上述したように、RAT AとBとの間の受信機感度のDelta差であり得る。Deltaおよび/またはオフセットは、P_Aおよび/またはP_Bの関数(たとえば、Delta=f1(P_A, P_B)、offset=f2(P_A, P_B))であり得、関数は任意の適切な関数である。
【００５４】
別の実施形態では、カバレージの端部に影響する別の要因は、干渉レベルであり得る。RAT AおよびBに対応する周波数帯域が他のセルとは異なる干渉を経験する場合、2つのRAT AおよびBのカバレージは異なり得る。たとえば、RAT Bの周波数帯域が近くのマクロセルからの干渉を経験する場合、マクロセル信号のために、RAT Bのカバレージが低減し得る。I_AおよびI_Bはそれぞれ、RAT AおよびBの周波数帯域において経験される干渉であるとする。2つの周波数帯域上の同じカバレージに到達するためには、P_A=P_B+offset+(I_A-I_B)であり、式中、P_AはRAT Aの電力であり、P_BはRAT Bの電力であり、offsetはオフセット電力である。電力設定P_Aは、干渉差の関数(たとえば、P_A=f(I_A、I_B)+…)に依存し得、関数は、任意の適切な関数である。オフセットは、P_Aおよび/またはP_Bの関数(たとえば、offset=f(P_A、P_B))であり得、関数は任意の適切な関数である。
【００５５】
干渉レベルは、スモールセルで、またはモバイル端末を用いて、決定され得る。たとえば、スモールセルのネットワークリッスンモジュール(NLM)は、干渉を受信し、測定するように構成され得る。平均または他の統計値などの干渉値は、NLMでの測定値に基づいて決定され得る。別の例では、スモールセルは、たとえば、測定報告を介して、モバイル端末から干渉の表示を受信することができる。干渉レベルは、NLMおよびモバイル端末測定値の任意の組合せに基づき得る。
【００５６】
異なる実施形態からの条件は、任意の適切な方法で組み合わせられ得る。たとえば、RAT Aの電力設定では、P_Aは、オフセット、RAT Bの電力設定、Delta、および/または干渉レベルを含む設定値の任意の組合せの関数であり得る。スモールセルは、設定値のうちの任意のものまたは全部によって事前設定され得る。オフセットおよび関数オフセットfを含む設定値は、オペレーション、アドミニストレーション、およびメンテナンス(OAM)を介してスモールセルで構成され得る。たとえば、スモールセルは、事前設定された設定に基づいて電力設定を選択することができる。たとえば、スモールセルは、OAMからの命令に基づいて電力設定を選択することができる。
【００５７】
図6に関して、本明細書で説明される実施形態の1つまたは複数の態様によれば、たとえば、スモールセルなどのような無線ノードによって動作可能な方法600が示される。具体的には、方法600は、無線ノードにおける送信電力を較正する方法を説明する。方法600は、602で、第2の無線アクセス技術(RAT)のための第2の電力設定に基づいて第1のRATのための第1の電力設定を自動的に決定するステップを伴い得る。方法600は、604で、第1のRAT(および、ある場合には、第2のRAT)のための電力設定として第1の電力設定を自動的に適用するステップを伴い得る。
【００５８】
図7を参照すると、送信電力を較正するために、無線ノード、たとえばスモールセルとして、または無線ノード内で使用するためのプロセッサまたは類似のデバイスとして構成され得る例示的な装置700が提供される。装置700は、プロセッサ、ソフトウェア、またはその組合せ(たとえばファームウェア)によって実現される機能を表し得る機能ブロックを含み得る。
【００５９】
図示したように、一実施形態では、装置700は、第2の無線アクセス技術(RAT)のための第2の電力設定に基づいて第1のRATのための第1の電力設定を自動的に決定するための電気的構成要素またはモジュール702を含み得る。たとえば、電気的構成要素702は、第2の無線アクセス技術(RAT)のための第2の電力設定に基づいて第1のRATのための第1の電力設定を自動的に決定するための命令を有するメモリに結合された少なくとも1つのプロセッサを含み得る。電気的構成要素702は、第2の無線アクセス技術(RAT)のための第2の電力設定に基づいて第1のRATのための第1の電力設定を自動的に決定するための手段であり得る、またはそのための手段を含み得る。前記の手段は、1つまたは複数のプロセッサによって実行されるアルゴリズムを含み得る。
【００６０】
装置700は、第1のRATのための電力設定として第1の電力設定を自動的に適用するための電気的構成要素704を含み得る。たとえば、電気的構成要素704は、第1のRATのための電力設定として第1の電力設定を自動的に適用するための命令を保持するメモリに結合された少なくとも1つのプロセッサを含み得る。電気的構成要素704は、第1のRATのための電力設定として電力設定を自動的に適用するための手段であり得る、またはそのための手段を含み得る。前記の手段は、1つまたは複数のプロセッサによって実行されるアルゴリズムを含み得る。
【００６１】
関連する態様では、装置700は、無線ノードとして構成されている装置700の場合、少なくとも1つのプロセッサを有するプロセッサ構成要素710を任意選択で含み得る。プロセッサ710は、そのような場合、バス712または類似の通信結合を介して構成要素702〜704または類似の構成要素と動作可能に通信し得る。プロセッサ710は、電気的構成要素702〜704によって実行されるプロセスまたは機能を開始しスケジューリングしてよい。
【００６２】
さらなる関係する態様では、装置700は、他のネットワークエンティティと通信するためのネットワークインターフェース構成要素714を含むことができる。装置700は、たとえば、メモリデバイス/構成要素716などの情報を記憶するための構成要素を任意選択で含んでよい。コンピュータ可読記録媒体またはメモリ構成要素716はバス712などを介して装置700の他の構成要素に動作可能に結合されてよい。メモリ構成要素716は、構成要素702〜704およびその副構成要素、またはプロセッサ710のアクティビティを実施するためのコンピュータ可読命令およびデータを記憶するように適応され得る。メモリ構成要素716は、構成要素702〜704に関連する機能を実行するための命令を保持してよい。構成要素702〜704は、メモリ716の外部にあるものとして示されているが、メモリ716内に存在し得ることを理解されたい。
【００６３】
情報および信号が多種多様な異なる技術および技法のいずれかを使用して表すことができることを、当業者は理解されよう。たとえば、上記の説明全体を通して参照される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表すことができる。
【００６４】
さらに、本明細書において開示される態様に関連して説明された様々な例示的な論理ブロック、モジュール、回路、およびアルゴリズムステップは、電子ハードウェア、コンピュータソフトウェア、または両方の組合せとして実現され得ることを、当業者は理解されよう。ハードウェアおよびソフトウェアのこの互換性を明確に示すために、様々な例示的な構成要素、ブロック、モジュール、回路、およびステップは、一般的にそれらの機能に関してこれまで説明されてきた。そのような機能がハードウェアとして実現されるか、またはソフトウェアとして実現されるかは、具体的な適用例およびシステム全体に課される設計制約によって決まる。当業者は、説明された機能を具体的な適用例ごとに様々な方法で実現し得るが、そのような実装形態の決定は、本開示の範囲からの逸脱をもたらすものと解釈されるべきではない。
【００６５】
本明細書において開示される態様に関連して説明した方法、シーケンス、および/またはアルゴリズムは、ハードウェアで、プロセッサによって実行されるソフトウェアモジュールで、またはその2つの組合せで直接具現され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体内に常駐し得る。例示的な記憶媒体は、プロセッサが記憶媒体から情報を読み取り、記憶媒体に情報を書き込むことができるように、プロセッサに結合する。代替形態において、記憶媒体はプロセッサと一体であり得る。
【００６６】
したがって、本開示の態様は、小カバレージ基地局を配置するための方法を具現化するコンピュータ可読記録媒体を含み得る。したがって、本開示は、図示された例に限定されない。
【００６７】
上記の開示は例示的な態様を示すが、添付の特許請求の範囲によって定義される本開示の範囲から逸脱することなく、本明細書において様々な変更および改変がなされ得ることに留意されたい。本明細書において説明された本開示の態様による方法クレームの機能、ステップおよび/または動作は、特定の順序で実行される必要はない。さらに、いくつかの態様は、単数形で説明または請求されていることがあるが、単数形への限定が明示的に述べられていない限り、複数形が企図される。
【符号の説明】
【００６８】
100  ワイヤレス通信システム
102  マクロセル
110  eNB
120  UE
130  ネットワークコントローラ
200  ダウンリンクフレーム構造
202  無線フレーム
204  無線フレーム
206  無線フレーム
312  データソース
320  送信プロセッサ
330  送信(TX)多入力多出力(MIMO)プロセッサ
332  変調器(MOD)
332  復調器
334  アンテナ
338  受信プロセッサ
339  データシンク
340  コントローラ/プロセッサ
342  メモリ
344  スケジューラ
352  アンテナ
354  復調器(DEMOD)
354  変調器
356  MIMO検出器
358  受信プロセッサ
360  データシンク
362  データソース
364  送信プロセッサ
366  TX MIMOプロセッサ
380  コントローラ/プロセッサ
382  メモリ
400  通信システム
410  スモールセルAP
420  アクセス端末
430  住宅
440  ワイドエリアネットワーク
450  モバイル事業者コアネットワーク
460  ノード
500  システム
501  スモールセル
502  LTEスモールセルカバレージ
504  CDMA2000 1xカバレージ
506  モバイル端末
700  装置
702  電気的構成要素
704  電気的構成要素
710  プロセッサ構成要素
712  バス
714  ネットワークインターフェース構成要素
716  メモリデバイス/構成要素
【図１】
2016509452.tif 000003
【図２】
2016509452.tif 000004
【図３】
2016509452.tif 000005
【図４】
2016509452.tif 000006
【図５】
2016509452.tif 000007
【図６】
2016509452.tif 000008
【図７】
2016509452.tif 000009
【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
マルチ無線アクセス技術(RAT)をサポートする共通の無線ノードにおけるワイヤレス通信のための方法であって、前記方法が、
第2の無線アクセス技術(RAT)のための第2の電力設定に基づいて第1のRATのための第1の電力設定を自動的に決定するステップと、
前記第1のRATのための電力設定として前記第1の電力設定を自動的に適用するステップと
を含み、前記第1の電力設定を自動的に決定するステップが、前記第1のRATに関連する第1の周波数帯域と、前記第2のRATに関連する第2の周波数帯域との間の1つまたは複数の差を反映する電力設定関数を決定するステップを含み、前記電力設定関数が、固定オフセット値、前記第1のRATの受信機感度、前記第2のRATの受信機感度、またはそれらの組合せのうちの少なくとも1つに基づく方法。
【請求項２】
前記電力設定関数が、前記第1のRATにおける干渉、前記第2のRATにおける干渉、またはそれらの組合せのうちの少なくとも1つにさらに基づく、請求項1に記載の方法。
【請求項３】
ネットワークリッスンモジュールにおける測定値、またはモバイルエンティティから受信された測定値のうちの少なくとも1つに基づいて前記第1のRATにおける前記干渉を決定するステップをさらに含む、請求項2に記載の方法。
【請求項４】
前記固定オフセット値が、前記第1および第2の周波数帯域の伝播プロファイルの関数である、請求項1に記載の方法。
【請求項５】
前記第1の電力設定を自動的に決定するステップが、オペレーション、アドミニストレーション、およびメンテナンス(OAM)ノードを含むネットワークノードから前記第1の電力設定を受信するステップを含む、請求項1に記載の方法。
【請求項６】
前記第2のRATのための電力の変化に応答して、前記第1のRATのための電力を調整するステップをさらに含む請求項1に記載の方法。
【請求項７】
前記第2のRATのための電力設定として前記第1の電力設定を自動的に適用するステップをさらに含む請求項1に記載の方法。
【請求項８】
マルチ無線アクセス技術(RAT)をサポートする共通の無線ノードにおけるワイヤレス通信のための装置であって、
第2の無線アクセス技術(RAT)のための第2の電力設定に基づいて第1のRATのための第1の電力設定を自動的に決定し、前記第1のRATのための電力設定として前記第1の電力設定を自動的に適用するように構成される少なくとも1つのプロセッサであって、
前記少なくとも1つのプロセッサが、前記第1のRATに関連する第1の周波数帯域と、前記第2のRATに関連する第2の周波数帯域との間の1つまたは複数の差を反映する電力設定関数を決定することによって、前記第1の電力設定を自動的に決定するように構成され、前記電力設定関数が、固定オフセット値、前記第1のRATの受信機感度、前記第2のRATの受信機感度、またはそれらの組合せのうちの少なくとも1つに基づく、少なくとも1つのプロセッサと、
データを記憶するために前記少なくとも1つのプロセッサに結合されたメモリと
を備える装置。
【請求項９】
前記電力設定関数が、前記第1のRATにおける干渉、前記第2のRATにおける干渉、またはそれらの組合せのうちの少なくとも1つにさらに基づく、請求項8に記載の装置。
【請求項１０】
前記少なくとも1つのプロセッサが、ネットワークリッスンモジュールにおける測定値、またはモバイルエンティティから受信された測定値のうちの少なくとも1つに基づいて前記第1のRATにおける前記干渉を決定するようにさらに構成される、請求項9に記載の装置。
【請求項１１】
前記固定オフセット値が、前記第1および第2の周波数帯域の伝播プロファイルの関数である、請求項8に記載の装置。
【請求項１２】
前記少なくとも1つのプロセッサが、オペレーション、アドミニストレーション、およびメンテナンス(OAM)ノードを含むネットワークノードから前記第1の電力設定を受信することによって、前記第1の電力設定を自動的に決定するように構成される、請求項8に記載の装置。
【請求項１３】
前記少なくとも1つのプロセッサが、前記第2のRATのための電力の変化に応答して、前記第1のRATのための電力を調整するようにさらに構成される、請求項8に記載の装置。
【請求項１４】
前記少なくとも1つのプロセッサが、前記第2のRATのための電力設定として前記第1の電力設定を自動的に適用するようにさらに構成される、請求項8に記載の装置。
【請求項１５】
マルチ無線アクセス技術(RAT)をサポートする共通の無線ノードにおけるワイヤレス通信のための装置であって、
第2の無線アクセス技術(RAT)のための第2の電力設定に基づいて第1のRATのための第1の電力設定を自動的に決定するための手段と、
前記第1のRATのための電力設定として前記第1の電力設定を自動的に適用するための手段と
を含み、前記第1の電力設定を自動的に決定するための前記手段が、前記第1のRATに関連する第1の周波数帯域と、前記第2のRATに関連する第2の周波数帯域との間の1つまたは複数の差を反映する電力設定関数を決定するための手段を含み、前記電力設定関数が、固定オフセット値、前記第1のRATの受信機感度、前記第2のRATの受信機感度、またはそれらの組合せのうちの少なくとも1つに基づく
装置。
【請求項１６】
前記電力設定関数が、前記第1のRATにおける干渉、前記第2のRATにおける干渉、またはそれらの組合せのうちの少なくとも1つにさらに基づく、請求項15に記載の装置。
【請求項１７】
前記第1のRATにおける前記干渉を決定するための前記手段が、ネットワークリッスンモジュールにおける測定値、またはモバイルエンティティから受信された測定値のうちの少なくとも1つに基づいて前記干渉を決定するための手段を含む、請求項16に記載の装置。
【請求項１８】
前記固定オフセット値が、前記第1および第2の周波数帯域の伝播プロファイルの関数である、請求項15に記載の装置。
【請求項１９】
前記第1の電力設定を自動的に決定するための前記手段が、オペレーション、アドミニストレーション、およびメンテナンス(OAM)ノードを含むネットワークノードから前記第1の電力設定を受信するための手段を含む、請求項15に記載の装置。
【請求項２０】
前記第2のRATのための電力の変化に応答して、前記第1のRATのための電力を調整するための手段をさらに含む請求項15に記載の装置。
【請求項２１】
前記第2のRATのための電力設定として前記第1の電力設定を自動的に適用するための手段をさらに含む請求項15に記載の装置。
【請求項２２】
少なくとも1つのコンピュータによって実行されると、前記少なくとも1つのコンピュータに、マルチ無線アクセス技術(RAT)をサポートする共通の無線ノードにおけるワイヤレス通信のための動作を実行させるコードを備える非一時的コンピュータ可読記録媒体であって、
第2の無線アクセス技術(RAT)のための第2の電力設定に基づいて第1のRATのための第1の電力設定を自動的に決定するためのコードと、
前記第1のRATのための電力設定として前記第1の電力設定を自動的に適用するためのコードと
を含み、前記第1の電力設定を自動的に決定するための前記コードが、前記第1のRATに関連する第1の周波数帯域と、前記第2のRATに関連する第2の周波数帯域との間の1つまたは複数の差を反映する電力設定関数を決定するためのコードを含み、前記電力設定関数が、固定オフセット値、前記第1のRATの受信機感度、前記第2のRATの受信機感度、またはそれらの組合せのうちの少なくとも1つに基づく
非一時的コンピュータ可読記録媒体。
【請求項２３】
前記電力設定関数が、前記第1のRATにおける干渉、前記第2のRATにおける干渉、またはそれらの組合せのうちの少なくとも1つにさらに基づく、請求項22に記載の非一時的コンピュータ可読記録媒体。
【請求項２４】
前記第1のRATにおける前記干渉を決定するための前記コードが、ネットワークリッスンモジュールにおける測定値、またはモバイルエンティティから受信された測定値のうちの少なくとも1つに基づいて前記干渉を決定するためのコードを含む、請求項23に記載の非一時的コンピュータ可読記録媒体。
【請求項２５】
前記固定オフセット値が、前記第1および第2の周波数帯域の伝播プロファイルの関数である、請求項22に記載の非一時的コンピュータ可読記録媒体。
【請求項２６】
前記第1の電力設定を自動的に決定するための前記コードが、オペレーション、アドミニストレーション、およびメンテナンス(OAM)ノードを含むネットワークノードから前記第1の電力設定を受信するためのコードを含む、請求項22に記載の非一時的コンピュータ可読記録媒体。
【請求項２７】
前記少なくとも1つのコンピュータに、前記第2のRATのための電力の変化に応答して、前記第1のRATのための電力を調整させるためのコードをさらに含む、請求項22に記載の非一時的コンピュータ可読記録媒体。
【請求項２８】
前記第2のRATのための電力設定として前記第1の電力設定を自動的に適用するためのコードをさらに含む、請求項22に記載の非一時的コンピュータ可読記録媒体。
【国際調査報告】
2016509452.tif 000010
2016509452.tif 000011